(57)【要約】複数個のセンサの感度を自動的に識別するための方法であって、センサに一定の数値の電気抵抗が付加され、その電気抵抗により、前記センサが予め設定された感度範囲を持った或る特定のセンサ群に帰属される。【特許請求の範囲】
【請求項１】
複数個のセンサの感度を自動的に識別するための方法であって、
センサに一定の数値の電気抵抗が付加され、その電気抵抗により、前記センサが予め設定された感度範囲を持った或る特定のセンサ群に帰属されることを特徴とするセンサの感度を自動的に識別するための方法。
【請求項２】
センサが、その抵抗器の規定の数値により、特定のセンサ群内に包含されることを特徴とする請求項１記載の方法。
【請求項３】
センサが１個の荷電増幅器内に挿着され、それによって感度が限定されることを特徴とする請求項１または２記載の方法。
【請求項４】
増幅器内の最適測定範囲もまた自動的に調整されることを特徴とする請求項３記載の方法。
【発明の詳細な説明】
【技術分野】
【０００１】
この発明は複数個のセンサの感度を自動的に識別するための方法に関する。
【背景技術】
【０００２】
多くの工学分野において現在では、状態、位置などを検出するためのセンサが使用される。以下に記述する方法は、感度の種々異なる特に各種のセンサに関連する。一応好ましくは、その方法が、圧力、応力または加速度が測定できるところの圧電センサに関連するものとする。
【０００３】
例えばこの種のセンサは、金型内部圧力を測定するために射出成形金型に内設される。この場合、金型内部圧力により、例えばキャビティーの充填度あるいは充填圧力から再加圧力への変換の時点を検出することができる。
【０００４】
この種のセンサの範囲における大きな問題は、個々独立のセンサ感度であって、圧力の場合はｐＣ／ｂａｒ（ピコ・クーロン／バール）、応力の場合はｐＣ／Ｎ（ピコ・クーロン／ニュートン）として表示される。製造工学的な理由により、この感度は個々のセンサごとに多種多様である。
【発明の開示】
【０００５】
この発明の課題は、前記種類の方法を開発し、それによって複数個のセンサの個々の感度を自動的に識別させ、かつ適宜な装置内においての測定範囲を適切かつ最良状態となるように適応させることにある。
【０００６】
前記課題は、センサに一定の数値の電気抵抗が付加され、その電気抵抗により、前記センサが予め設定された感度範囲を持った或る特定のセンサ群に帰属されることによって解決される。
【０００７】
例えば、或る一定の応用範囲に対して３種の異なる呼称感度を有する３群の異なるセンサ群があるとする（ｐＣ／ｂａｒはピコ・クーロン／バールを表す単位記号）。
【０００８】
第１群  ２．５ｐＣ／ｂａｒ
第２群    １０ｐＣ／ｂａｒ
第３群    ２０ｐＣ／ｂａｒ
【０００９】
第１群においては抵抗値を１００オームステップに、第２群においては１０００オームステップに、第３群においては１０  ０００オームステップに組み込まれる。かくしてセンサ群が識別されて互いに他から区別される。
【００１０】
好ましくは、これに続いて個々のセンサ群内で細分類あるいは限定が実行される。
【００１１】
第１群
２．３  ｐＣ／ｂａｒ        １００  オーム
２．４  ｐＣ／ｂａｒ        ２００  オーム
２．５  ｐＣ／ｂａｒ        ３００  オーム
２．６  ｐＣ／ｂａｒ        ４００  オーム
２．７  ｐＣ／ｂａｒ        ５００  オーム
【００１２】
第２群
９．８  ｐＣ／ｂａｒ      １０００  オーム
９．９  ｐＣ／ｂａｒ      ２０００  オーム
１０．０  ｐＣ／ｂａｒ      ３０００  オーム
１０．１  ｐＣ／ｂａｒ      ４０００  オーム
１０．２  ｐＣ／ｂａｒ      ５０００  オーム
【００１３】
第３群
１９．８  ｐＣ／ｂａｒ    １００００  オーム
１９．９  ｐＣ／ｂａｒ    ２００００  オーム
２０．０  ｐＣ／ｂａｒ    ３００００  オーム
２０．１  ｐＣ／ｂａｒ    ４００００  オーム
２０．２  ｐＣ／ｂａｒ    ５００００  オーム
【００１４】
或る特定の用途に使用されることに適切なセンサが、ここでは、好ましくは１基の荷電増幅器（プラグ・アンド・プレイ）内に装着され、これによりセンサ感度が明確にされる。この増幅器は、自動的に最適範囲を調整する。
【００１５】
応用機器用に供給されるための有効に等級付けされた信号出力が、制御符号化された状態で発信され、それゆえ応用機器によるセンサ感度の入力は、不必要になる。
【００１６】
好ましくは、前記荷電増幅器内において、センサの感度が自動的に識別されるばかりでなく、最適測定範囲もまた自動的に調整されることが適切である。かくしてその結果、常に、かつ自動的に測定信号のできる限り良好な解析が実行されるという利点がある。
【国際公開パンフレット】
2004526159.tif 000002
2004526159.tif 000003
2004526159.tif 000004
2004526159.tif 000005
2004526159.tif 000006
2004526159.tif 000007
【手続補正書】
【提出日】平成15年1月29日(2003.1.29)
【手続補正１】
【補正対象書類名】明細書
【補正対象項目名】特許請求の範囲
【補正方法】変更
【補正の内容】
【特許請求の範囲】
【請求項１】
１つの規定値にほぼ等しい感度を持った複数個のセンサが、或る１つのセンサ群に所属されている場合において、１群のセンサから或る特定の値の感度を付与された複数個のセンサの、特に特有の感度を持った圧電センサの感度を自動的に識別するための方法であって、
所定の感度範囲を持った特定のセンサ群に属する複数個のセンサに、ほぼ規定値に等しい抵抗値を持った特定の抵抗群に属する抵抗器が所属されることを特徴とするセンサの感度を自動的に識別するための方法。
【請求項２】
センサが、その抵抗器の規定の数値により、特定のセンサ群内に包含されることを特徴とする請求項１記載の方法。
【請求項３】
センサが１個の荷電増幅器内に挿着され、それによって感度が限定されることを特徴とする請求項１または２記載の方法。
【請求項４】
増幅器内の最適測定範囲もまた自動的に調整されることを特徴とする請求項３記載の方法。
【手続補正２】
【補正対象書類名】明細書
【補正対象項目名】０００１
【補正方法】変更
【補正の内容】
【０００１】
この発明は、１つの規定値にほぼ等しい感度を持った複数個のセンサが、或る１つのセンサ群に所属されている場合において、１群のセンサから或る特定の値の感度を付与された複数個のセンサの、特に特有の感度を持った圧電センサの感度を自動的に識別するための方法に関する。


【手続補正３】
【補正対象書類名】明細書
【補正対象項目名】０００４
【補正方法】変更
【補正の内容】
【０００４】
この種のセンサの範囲における大きな問題は、個々独立のセンサ感度であって、圧力の場合はｐＣ／ｂａｒ（ピコクーロン／バール）、応力の場合はｐＣ／Ｎ（ピコクーロン／ニュートン）として表示される。製造工学的な理由により、この感度は個々のセンサごとに多種多様である。
米国特許第４，６９５，９５５号明細書には、１つの電子装置が開示され、それは、複数個のセンサとこれらのセンサから生成された信号の処理装置との間に、多機能インターフェースを備えている。この場合、センサを自動的に識別するための同定素子が示されている。この同定素子は抵抗器より成るものである。
米国特許第３，９４３，４４０号明細書には、上記に説明の種類の方法が開示されているが、勿論圧電センサには関連していない。しかしながら同明細書には、測定回路の感度を調整するための素子が記載され、この場合、コード符号化された抵抗器と測定回路とが、単一の導線によって接続されている。電流は抵抗器を経由して前記導線を経て導出される。抵抗器の電圧が測定されてＡ／Ｄ変換器で２進数にコード符号化され、測定回路の感度が調整される。
【手続補正４】
【補正対象書類名】明細書
【補正対象項目名】０００６
【補正方法】変更
【補正の内容】
【０００６】
前記課題は、所定の感度範囲を持った特定のセンサ群に属する複数個のセンサに、ほぼ規定値に等しい抵抗値を持った特定の抵抗群に属する抵抗器を所属させることによって解決される。




【国際調査報告】
2004526159.tif 000008
2004526159.tif 000009
2004526159.tif 000010
2004526159.tif 000011
2004526159.tif 000012
2004526159.tif 000013